(57)【要約】コネクタと電子システムを提供する。電子システム（１００）は第一電子装置（１０２）と、第二電子装置（２００）と、コネクタ（１０４）とを含み、該コネクタは第一電子装置と第二電子装置とを電気接続させることに使われる。第一電子装置は第一平面（Ｐ１０）を具備する。第二電子装置は第二平面（Ｐ２０）を具備する。第一平面と第二平面とは同一平面に位置していない。コネクタは複数個の端子（１１０、１２０、１３０）を含み、これらはそれぞれ第一平面と第二平面とに電気接続される。該コネクタにおいて、信号端子が第一接地端子と第二接地端子との間に位置することにより、スクリーンされた環境中で干渉の少ない高周波信号を伝送することができる。該コネクタ及びそれを使う電子システムは、異なる平面上に位置する接点を電気接続させるとともに、異なる平面の間で信号を伝送することができる。
2015504230.tif 000002
【特許請求の範囲】
【請求項１】
第一電子装置と第二電子装置とを電気接続させることに使われるコネクタにおいて、
第一端と第二端とを具備する第一接地端子と、
第三端と第四端とを具備する信号端子と、
第五端と第六端とを具備する第二接地端子とを含み、
前記信号端子は前記第一接地端子と前記第二接地端子との間に位置し、前記第一端、前記第三端及び前記第五端はそれぞれ、前記第一電子装置の第一平面に電気接続され、前記第二端、前記第四端及び前記第六端はそれぞれ、前記第二電子装置の第二平面に電気接続され、前記第一平面と前記第二平面は同一平面に位置していないことを特徴とするコネクタ。
【請求項２】
前記第一接地端子と前記第二接地端子は同電位であることを特徴とする請求項１に記載のコネクタ。
【請求項３】
前記信号端子は高周波信号端子であることを特徴とする請求項１に記載のコネクタ。
【請求項４】
前記コネクタはカバーを更に含み、前記第一接地端子、前記信号端子及び前記第二接地端子の一部分はそれぞれ当該カバー内に設けられることを特徴とする請求項１に記載のコネクタ
【請求項５】
前記第二電子装置は、前記第一電子装置を載置させるための載置槽を具備することを特徴とする請求項１に記載のコネクタ。
【請求項６】
前記第一電子装置は電子通信装置であることを特徴とする請求項１に記載のコネクタ。
【請求項７】
電子システムにおいて、
第一平面を具備する第一電子装置と、
該第一平面と同一平面に位置していない第二平面を具備する第二電子装置と、
コネクタとを含み、
該コネクタは、
第一端と第二端とを具備する第一接地端子と、
第三端と第四端とを具備する信号端子と、
第五端と第六端とを具備する第二接地端子とを含み、
前記信号端子は前記第一接地端子と前記第二接地端子との間に位置し、前記第一端、前記第三端及び前記第五端はそれぞれ、前記第一平面に電気接続され、前記第二端、前記第四端及び前記第六端はそれぞれ、前記第二平面に電気接続されることを特徴とする電子システム。
【請求項８】
前記第一接地端子と前記第二接地端子は同電位であることを特徴とする請求項７に記載の電子システム。
【請求項９】
前記信号端子は高周波信号端子であることを特徴とする請求項７に記載の電子システム。
【請求項１０】
前記コネクタはカバーを更に含み、前記第一接地端子、前記信号端子及び前記第二接地端子の一部分はそれぞれ当該カバー内に設けられることを特徴とする請求項７に記載の電子システム。
【請求項１１】
前記第二電子装置は、前記第一電子装置を載置させるための載置槽を具備することを特徴とする請求項７に記載の電子システム。
【請求項１２】
前記第一電子装置は電子通信装置であることを特徴とする請求項７に記載の電子システム。
【発明の詳細な説明】
【技術分野】
【０００１】
本発明は、コネクタ及びその電子システムに関し、特に高周波コネクタ及びその電子システムに関する。
【背景技術】
【０００２】
現在、高周波信号を伝送するか或いは複数個の異なる電子通信装置を電気接続させるとき、通常同軸ケーブルをコネクタとして使う。同軸ケーブルコネクタは体積が大きく、空間を多く占用するので、携帯電話などの携帯型電子装置に応用しにくい。一方で、同軸ケーブルコネクタの構造は変化せず、かつ変化させにくいので、各クライアントの色々な製品の専用化の要求に合わせにくく、かつコストが多くかかる。
【０００３】
また、共平面導波技術は高周波信号を伝送するもう１つの常用技術であり、この技術は単一平面の伝送線を構成することを特徴とする。すなわち、信号線と接地線が同一平面に位置するので、各電子部品の間を容易に直列連結又は並列連結させることができる。また、共平面導波技術を採用する電子部品の電気特性は媒介板の厚さの影響を受けないので、回路を製作する費用を大幅に低減し、電子回路を容易に配置することができる。
【発明の概要】
【０００４】
本発明のコネクタは、第一電子装置と第二電子装置とを電気接続させることに使われる。コネクタは、第一接地端子と、信号端子と、第二接地端子とを含む。信号端子は第一接地端子と第二接地端子との間に位置する。第一接地端子は第一端と第二端とを具備し、信号端子は第三端と第四端とを具備し、第二接地端子は第五端と第六端とを具備する。第一端、第三端及び第五端はそれぞれ、第一電子装置の第一平面に電気接続され、第二端、第四端及び第六端はそれぞれ、第二電子装置の第二平面に電気接続され、第一平面と第二平面は同一平面に位置していない。
【０００５】
本発明の電子システムは、第一電子装置と、第二電子装置と、コネクタとを含む。第一電子装置は第一平面を具備し、第二電子装置は第一平面と同一平面に位置していない第二平面を具備する。コネクタは、第一接地端子と、信号端子と、第二接地端子とを含み、信号端子は第一接地端子と第二接地端子との間に位置する。第一接地端子は第一端と第二端とを具備し、信号端子は第三端と第四端とを具備し、第二接地端子は第五端と第六端とを具備する。第一端、第三端及び第五端はそれぞれ、第一平面に電気接続される。第二端、第四端及び第六端はそれぞれ、第二平面に電気接続される。
【０００６】
本発明の実施例において、第一接地端子、信号端子及び第二接地端子は導電材料で構成される。
【０００７】
本発明の実施例において、第一接地端子と第二接地端子は同電位である。
【０００８】
本発明の実施例において、信号端子は高周波信号端子である。
【０００９】
本発明の実施例において、コネクタはカバーを更に含み、第一接地端子、信号端子及び第二接地端子の一部分はそれぞれ当該カバー内に設けられる。
【００１０】
本発明の実施例において、第二電子装置は、第一電子装置を載置させるための載置槽を具備する。
【００１１】
本発明の実施例において、第一電子装置は電子通信装置である。
【００１２】
上述したとおり、本発明のコネクタと電子システムにおいて、信号端子が第一接地端子と第二接地端子との間に位置していることにより、スクリーンされた環境中で干渉の少ない高周波信号を伝送することができる。また、コネクタの端子を容易に変化させることにより、専用化の要求に容易に合わせることができる。
【００１３】
本発明の上記の特徴及び利点をより詳細に示すため、以下好適な実施例を挙げ、図面を参照しながら詳細に説明する。
【図面の簡単な説明】
【００１４】
【図１】本発明の実施例に係る電子システムにおいて第一電子装置と第二電子装置とがコネクタにより電気接続されることを示す局部透明図である。
【図２】図１のコネクタを示す局部拡大図である。
【図３】図１のコネクタの一部分の側面の断面を示す図である。
【発明を実施するための形態】
【００１５】
図１は、本発明の実施例に係る電子システムにおいて第一電子装置と第二電子装置とを結合させることを示す局部透明図であり、図２は、図１の２つの電子装置を結合させるコネクタを示す局部拡大図である。図１と図２を参照すると、本実施例の電子システム１００は、第一電子装置１０２と、第二電子装置２００と、コネクタ１０４とを含む。本実施例において、第一電子装置１０２は複数個の第一接点１０３を具備し、第二電子装置２００は複数個の第二接点２１０を具備する。コネクタ１０４は、第一接地端子１１０と、信号端子１２０と、第二接地端子１３０とを含み、信号端子１２０は、第一接地端子１１０と第二接地端子１３０との間に位置する。この実施例において、第一接地端子１１０、信号端子１２０及び第二接地端子１３０は導電材料で構成され、導電材料は金属材料を含む。
【００１６】
本実施例において、第一接地端子１１０は第一端１１２と第二端１１４とを具備し、信号端子１２０は第三端１２２と第四端１２４とを具備し、第二接地端子１３０は第五端１３２と第六端１３４とを具備する。第一端１１２、第三端１２２及び第五端１３２はそれぞれ第一電子装置１０２に電気接続され、第二端１１４、第四端１２４及び第六端１３４はそれぞれ第二電子装置２００に電気接続される。
【００１７】
本実施例において、第一端１１２、第三端１２２及び第五端１３２はそれぞれ、溶接又は他の方法により複数個の第一接点１０３のうちの１つに電気接続される。第一電子装置１０２と第二電子装置２００とを連結させるとき、第二端１１４、第四端１２４及び第六端１３４はそれぞれ、複数個の第二接点２１０のうちの１つに電気接続される。
【００１８】
本発明の実施例において、第二電子装置２００は、第一電子装置１０２を載置させる載置槽２２０を具備する。具体的には、第一電子装置１０２を載置槽２２０に載置させたとき、第一電子装置１０２は第二電子装置２００の外観設計中に融合される。本実施例において、第一電子装置１０２は電子通信装置、例えば携帯電話である。
【００１９】
図３は、図１のコネクタの一部分の側面の断面を示す図である。図２と図３を参照すると、第一接点１０３は第一電子装置１０２の第一平面Ｐ１０に位置し、第二接点２１０は第二電子装置２００の第二平面Ｐ２０に位置する。第一平面Ｐ１０と第二平面Ｐ２０は、同一平面に位置していない。すなわち、本実施例のコネクタ１０４は、異なる平面上に位置する接点を電気接続させるとともに、異なる平面上に位置する接点の間で信号を伝送することができる。また、共平面導波路の条件に合わせるため、第一端１１２、第三端１２２及び第五端１３２を同一平面に位置させるとともに、それぞれ第一平面Ｐ１０の第一接点１０３に電気接続させる。同様に、共平面導波路の条件に合わせるため、第二端１１４、第四端１２４及び第六端１３４を同一平面に位置させるとともに、それぞれ第二平面Ｐ２０の第二接点２１０に電気接続させる。
【００２０】
本実施例の第一接地端子１１０と第二接地端子１３０は同電位であることができる。一方で、本実施例の信号端子１２０は、高周波信号を伝送する高周波信号端子であることができる。信号端子１２０が第一接地端子１１０と第二接地端子１３０との間に位置することにより、第一接地端子１１０と第二接地端子１３０をスクリーンにし、信号端子１２０が信号を伝送するときに外部からの干渉を受けることを避けることができる。具体的には、第一接地端子１１０と第二接地端子１３０が同電位であるので、第一接地端子１１０と信号端子１２０との間と、第二接地端子１３０と信号端子１２０との間との一定の電位差を維持し、接地線が信号線を取り巻く状態を形成することにより、信号線が信号を伝送する品質を維持し、信号が損失されることを防ぐことができる。
【００２１】
接触面積を増加させ、電気接続の安定性を維持するため、本実施例の第一端１１２、第三端１２２、第五端１３２、第二端１１４、第四端１２４及び第六端１３４を薄板状にしたが、本発明はこれに限定されるものではなく、当業者は実際の需要と空間の状況に応じて調節することができる。
【００２２】
本実施例のコネクタ１０４はカバー１４０を更に含み、第一接地端子１１０、信号端子１２０及び第二接地端子１３０の一部分はそれぞれ、当該カバー１４０内に設けられる。カバー１４０は、第一接地端子１１０、信号端子１２０及び第二接地端子１３０を固定させるとともに、第一接地端子１１０、信号端子１２０及び第二接地端子１３０が水気の侵害を受けることを避けることができ、かつ第一接地端子１１０、信号端子１２０及び第二接地端子１３０が変形されることを避けることもできる。
【００２３】
上述したとおり、本発明のコネクタと電子システムにおいて、信号端子が第一接地端子と第二接地端子との間に位置することにより、第一接地端子と第二接地端子は外部からの干渉をスクリーンし、信号端子が伝送する高周波信号が干渉を受けることを避けることができる。また、コネクタの端子の位置を３Ｄ空間で変化させることができるので、異なる平面の接点に電気接続させ、専用化の要求に容易に合わせることができる。
【００２４】
以上、本発明の実施例により本発明を詳述してきたが、本発明は上記の実施例の構成に限定されるものではなく、この技術分野における通常の知識を有する者は、本発明の要旨を逸脱しない範囲で様々な変更を行うことができる。したがって、本発明が保護しようとする範囲は、後記の特許請求の範囲が定めた範囲を基準にする。
【符号の説明】
【００２５】
１００  電子システム
１０２  第一電子装置
１０４  コネクタ
１０３  第一接点
１１０  第一接地端子
１１２  第一端
１１４  第二端
１２０  信号端子
１２２  第三端
１２４  第四端
１３０  第二接地端子
１３２  第五端
１３４  第六端
１４０  カバー
２００  第二電子装置
２１０  第二接点
２２０  載置槽
Ｐ１０  第一平面
Ｐ２０  第二平面
【図１】
2015504230.tif 000003
【図２】
2015504230.tif 000004
【図３】
2015504230.tif 000005
【国際調査報告】
2015504230.tif 000006
2015504230.tif 000007
2015504230.tif 000008
2015504230.tif 000009
2015504230.tif 000010
2015504230.tif 000011
2015504230.tif 000012